(57)【要約】【課題】  発光素子の経時劣化に応じた発光出力の補正を好適に実現可能な表示装置及び表示方法を提供する。【解決手段】  表示素子として機能する発光素子２を有する表示部３と、表示部３の表示時間をカウントするカウント手段７と、発光素子２への印加電流値又は印加電圧値を検出する検出手段６と、を備える。検出手段６による検出値と、カウント手段７によるカウント値と、の積算量に応じて、発光素子への印加電流値又は印加電圧値を補正する補正手段８、５を備える。【選択図】    図１
2005134531.tif 000002
【特許請求の範囲】
【請求項１】
表示素子として機能する発光素子を有する表示部と、
前記表示部の表示時間をカウントするカウント手段と、
前記カウント手段によるカウント値に応じて前記発光素子の発光出力を補正する補正手段と、
を備えることを特徴とする表示装置。
【請求項２】
前記表示部は、複数種類の発光色の前記発光素子を有し、
前記補正手段は、各発光色の発光素子の輝度が相互に略等しくなるように前記補正を行うことを特徴とする請求項１に記載の表示装置。
【請求項３】
表示素子として機能する複数の発光素子を有する表示部と、
各発光素子の発光時間を個別にカウントするカウント手段と、
前記カウント手段によるカウント値に応じて各発光素子の発光出力を個別に補正する補正手段と、
を備えることを特徴とする表示装置。
【請求項４】
表示素子と、該表示素子のバックライトとしての発光素子と、を有する表示部と、
前記発光素子の発光時間をカウントするカウント手段と、
前記カウント手段によるカウント値に応じて前記発光素子の発光出力を補正する補正手段と、
を備えることを特徴とする表示装置。
【請求項５】
前記補正手段は、前記発光出力の補正を、前記発光素子への印加電流値又は印加電圧値の補正により行うことを特徴とする請求項１乃至４のいずれか一項に記載の表示装置。
【請求項６】
表示素子として機能する発光素子を有する表示部と、
前記表示部の表示時間をカウントするカウント手段と、
前記発光素子への印加電流値又は印加電圧値を検出する検出手段と、
前記検出手段による検出値と、前記カウント手段によるカウント値と、の積算量に応じて、前記発光素子への印加電流値又は印加電圧値を補正する補正手段と、
を備えることを特徴とする表示装置。
【請求項７】
表示素子として機能する複数種類の発光色の発光素子を有する表示部と、
前記表示部の表示時間をカウントするカウント手段と、
前記表示部への印加電流値又は印加電圧値を検出する検出手段と、
前記検出手段による検出値と、前記カウント手段によるカウント値と、の積算量に応じて、各発光色の発光素子の輝度が相互に略等しくなるように各発光素子への印加電流値又は印加電圧値を補正する補正手段と、
を備えることを特徴とする表示装置。
【請求項８】
前記表示部における個々の画素は、各原色を表現する発光素子を備えて構成されていることを特徴とする請求項２又は７に記載の表示装置。
【請求項９】
表示素子として機能する複数の発光素子を有する表示部と、
各発光素子の発光時間を個別にカウントするカウント手段と、
各発光素子への印加電流値又は印加電圧値を個別に検出する検出手段と、
前記検出手段による検出値と、前記カウント手段によるカウント値と、の積算量に応じて、各発光素子への印加電流値又は印加電圧値を個別に補正する補正手段と、
を備えることを特徴とする表示装置。
【請求項１０】
表示素子と、該表示素子のバックライトとしての発光素子と、を有する表示部と、
前記発光素子の発光時間をカウントするカウント手段と、
前記発光素子への印加電流値又は印加電圧値を検出する検出手段と、
前記検出手段による検出値と、前記カウント手段によるカウント値と、の積算量に応じて、前記発光素子への印加電流値又は印加電圧値を補正する補正手段と、
を備えることを特徴とする表示装置。
【請求項１１】
前記補正手段は、前記補正を、発光素子の輝度の経時劣化特性に基づいて行うことを特徴とする請求項１乃至１０のいずれか一項に記載の表示装置。
【請求項１２】
前記補正手段は、発光素子の輝度が初期状態と略等しくなるような補正を行うことを特徴とする請求項１乃至１１のいずれか一項に記載の表示装置。
【請求項１３】
表示素子として機能する発光素子を有する表示部に表示を行わせる方法において、
前記表示部の表示時間をカウントするカウント工程と、
前記カウント工程によるカウント値に応じて前記発光素子の発光出力を補正する補正工程と、
を備えることを特徴とする表示方法。
【請求項１４】
前記表示部は、複数種類の発光色の前記発光素子を有し、
前記補正工程では、各発光色の発光素子の輝度が相互に略等しくなるように前記補正を行うことを特徴とする請求項１３に記載の表示方法。
【請求項１５】
表示素子として機能する複数の発光素子を有する表示部に表示を行わせる方法において、
各発光素子の発光時間を個別にカウントするカウント工程と、
前記カウント工程によるカウント値に応じて各発光素子の発光出力を個別に補正する補正工程と、
を備えることを特徴とする表示方法。
【請求項１６】
表示素子と該表示素子のバックライトとしての発光素子とを有する表示部に表示を行わせる方法において、
前記発光素子の発光時間をカウントするカウント工程と、
前記カウント工程によるカウント値に応じて前記発光素子の発光出力を補正する補正工程と、
を備えることを特徴とする表示方法。
【請求項１７】
前記補正工程では、前記発光出力の補正を、前記発光素子への印加電流値又は印加電圧値の補正により行うことを特徴とする請求項１３乃至１６のいずれか一項に記載の表示方法。
【請求項１８】
表示素子として機能する発光素子を有する表示部に表示を行わせる方法において、
前記表示部の表示時間をカウントするカウント工程と、
前記発光素子への印加電流値又は印加電圧値を検出する検出工程と、
前記検出工程による検出値と、前記カウント工程によるカウント値と、の積算量に応じて、前記発光素子への印加電流値又は印加電圧値を補正する補正工程と、
を備えることを特徴とする表示方法。
【請求項１９】
表示素子として機能する複数種類の発光色の発光素子を有する表示部に表示を行わせる方法において、
前記表示部の表示時間をカウントするカウント工程と、
前記表示部への印加電流値又は印加電圧値を検出する検出手段と、
前記検出工程による検出値と、前記カウント工程によりカウントされた駆動時間と、の積算量に応じて、各発光色の発光素子の輝度が相互に略等しくなるように各発光素子への印加電流値又は印加電圧値を補正する補正工程と、
を備えることを特徴とする表示方法。
【請求項２０】
前記表示部における個々の画素は、各原色を表現する発光素子を備えて構成されていることを特徴とする請求項１４又は１９に記載の表示方法。
【請求項２１】
表示素子として機能する複数の発光素子を有する表示部に表示を行わせる方法において、
各発光素子の発光時間を個別にカウントするカウント工程と、
各発光素子への印加電流値又は印加電圧値を個別に検出する検出工程と、
前記検出工程による検出値と、前記カウント工程によるカウント値と、の積算量に応じて、各発光素子への印加電流値又は印加電圧値を個別に補正する補正工程と、
を備えることを特徴とする表示方法。
【請求項２２】
表示素子と、該表示素子のバックライトとしての発光素子と、を有する表示部に表示を行わせる方法において、
前記発光素子の発光時間をカウントするカウント工程と、
前記発光素子への印加電流値又は印加電圧値を検出する検出工程と、
前記検出工程による検出値と、前記カウント工程によるカウント値と、の積算量に応じて、前記発光素子への印加電流値又は印加電圧値を補正する補正工程と、
を備えることを特徴とする表示方法。
【請求項２３】
前記補正工程における補正を、発光素子の輝度の経時劣化特性に基づいて行うことを特徴とする請求項１３乃至２２のいずれか一項に記載の表示方法。
【請求項２４】
前記補正工程では、発光素子の輝度が初期状態と略等しくなるような補正を行うことを特徴とする請求項１３乃至２３のいずれか一項に記載の表示方法。
【発明の詳細な説明】
【技術分野】
【０００１】
本発明は、表示装置及び表示方法に関する。
【背景技術】
【０００２】
従来、例えば有機ＥＬ素子（有機エレクトロルミネッセンス素子）或いは発光ダイオード素子（ＬＥＤ）のような発光素子が知られている。
【０００３】
このような発光素子を表示素子として用いた表示装置は、該発光素子を縦横に配列した表示部を備え、各発光素子の点灯状態を制御することによって画像表示を行う。
【０００４】
ところで、発光素子は、経時変化により劣化し、次第に輝度が低下してしまう。
【０００５】
このため、発光素子により画像表示を行う表示装置においては、長期間の使用により、次第に画面の輝度や色バランス（色温度）が初期状態からずれてくるという問題がある。
【０００６】
このような問題に鑑みてなされた従来の技術としては、例えば、特許文献１の技術或いは特許文献２の技術がある。
【０００７】
このうち特許文献１の技術は、実際の輝度変化を例えばＣＣＤカメラを用いた撮影に基づき検知し、該検知した輝度変化に応じて表示出力、すなわち、発光素子に印加する電流値等を補正する技術である。
【０００８】
また、特許文献２の技術は、画像表示用の発光素子の輝度変化を推定するために、画像表示に寄与しないダミー素子を設け、該ダミー素子の電気的特性の測定結果を用いて発光素子の出力を補正する技術である。
【特許文献１】特開２０００−１２２５９８号公報（第３頁）
【特許文献２】特開２００１−１９５０２６号公報（請求項１）
【発明の開示】
【発明が解決しようとする課題】
【０００９】
しかしながら、上記の特許文献１の技術では、実際の輝度変化を検知するために例えばＣＣＤカメラを備えたりする必要があるため、装置が大型化してしまうという問題がある。
【００１０】
また、特許文献２の技術では、画像表示に寄与しないダミー素子をわざわざ設ける必要があるという問題がある。
【００１１】
本発明は、上記のような問題点を解決するためになされたもので、発光素子の経時劣化に応じた発光出力の補正を好適に実現可能な表示装置及び表示方法を提供することを目的とする。
【課題を解決するための手段】
【００１２】
上記課題を解決するため、本発明の表示装置は、表示素子として機能する発光素子を有する表示部と、前記表示部の表示時間をカウントするカウント手段と、前記カウント手段によるカウント値に応じて前記発光素子の発光出力を補正する補正手段と、を備えることを特徴としている。
【００１３】
本発明の表示装置においては、前記表示部は、複数種類の発光色の前記発光素子を有し、前記補正手段は、各発光色の発光素子の輝度が相互に略等しくなるように前記補正を行うことを好ましい例とする。
【００１４】
この場合、前記表示部における個々の画素は、各原色を表現する発光素子を備えて構成されていることが好ましい。
【００１５】
或いは、本発明の表示装置は、表示素子として機能する複数の発光素子を有する表示部と、各発光素子の発光時間を個別にカウントするカウント手段と、前記カウント手段によるカウント値に応じて各発光素子の発光出力を個別に補正する補正手段と、を備えることを特徴としている。
【００１６】
或いは、本発明の表示装置は、表示素子と、該表示素子のバックライトとしての発光素子と、を有する表示部と、前記発光素子の発光時間をカウントするカウント手段と、前記カウント手段によるカウント値に応じて前記発光素子の発光出力を補正する補正手段と、を備えることを特徴としている。
【００１７】
これらの表示装置においては、前記補正手段は、前記発光出力の補正を、前記発光素子への印加電流値又は印加電圧値の補正により行うことが好ましい。
【００１８】
また、本発明の表示装置は、表示素子として機能する発光素子を有する表示部と、前記表示部の表示時間をカウントするカウント手段と、前記発光素子への印加電流値又は印加電圧値を検出する検出手段と、前記検出手段による検出値と、前記カウント手段によるカウント値と、の積算量に応じて、前記発光素子への印加電流値又は印加電圧値を補正する補正手段と、を備えることを特徴としている。
【００１９】
或いは、本発明の表示装置は、表示素子として機能する複数種類の発光色の発光素子を有する表示部と、前記表示部の表示時間をカウントするカウント手段と、前記表示部への印加電流値又は印加電圧値を検出する検出手段と、前記検出手段による検出値と、前記カウント手段によるカウント値と、の積算量に応じて、各発光色の発光素子の輝度が相互に略等しくなるように各発光素子への印加電流値又は印加電圧値を補正する補正手段と、を備えることを特徴としている。
【００２０】
この場合、前記表示部における個々の画素は、各原色を表現する発光素子を備えて構成されていることが好ましい。
【００２１】
或いは、本発明の表示装置は、表示素子として機能する複数の発光素子を有する表示部と、各発光素子の発光時間を個別にカウントするカウント手段と、各発光素子への印加電流値又は印加電圧値を個別に検出する検出手段と、前記検出手段による検出値と、前記カウント手段によるカウント値と、の積算量に応じて、各発光素子への印加電流値又は印加電圧値を個別に補正する補正手段と、を備えることを特徴としている。
【００２２】
或いは、本発明の表示装置は、表示素子と、該表示素子のバックライトとしての発光素子と、を有する表示部と、前記発光素子の発光時間をカウントするカウント手段と、前記発光素子への印加電流値又は印加電圧値を検出する検出手段と、前記検出手段による検出値と、前記カウント手段によるカウント値と、の積算量に応じて、前記発光素子への印加電流値又は印加電圧値を補正する補正手段と、を備えることを特徴としている。
【００２３】
本発明の表示装置においては、前記補正手段は、前記補正を、発光素子の輝度の経時劣化特性に基づいて行うことが好ましい。
【００２４】
本発明の表示装置においては、前記補正手段は、発光素子の輝度が初期状態と略等しくなるような補正を行うことが好ましい。
【００２５】
また、本発明の表示方法は、表示素子として機能する発光素子を有する表示部に表示を行わせる方法において、前記表示部の表示時間をカウントするカウント工程と、前記カウント工程によるカウント値に応じて前記発光素子の発光出力を補正する補正工程と、を備えることを特徴としている。
【００２６】
本発明の表示方法においては、前記表示部は、複数種類の発光色の前記発光素子を有し、前記補正工程では、各発光色の発光素子の輝度が相互に略等しくなるように前記補正を行うことを好ましい例とする。
【００２７】
或いは、本発明の表示方法は、表示素子として機能する複数の発光素子を有する表示部に表示を行わせる方法において、各発光素子の発光時間を個別にカウントするカウント工程と、前記カウント工程によるカウント値に応じて各発光素子の発光出力を個別に補正する補正工程と、を備えることを特徴としている。
【００２８】
或いは、本発明の表示方法は、表示素子と該表示素子のバックライトとしての発光素子とを有する表示部に表示を行わせる方法において、前記発光素子の発光時間をカウントするカウント工程と、前記カウント工程によるカウント値に応じて前記発光素子の発光出力を補正する補正工程と、を備えることを特徴としている。
【００２９】
これらの表示方法において、前記補正工程では、前記発光出力の補正を、前記発光素子への印加電流値又は印加電圧値の補正により行うことが好ましい。
【００３０】
また、本発明の表示方法は、表示素子として機能する発光素子を有する表示部に表示を行わせる方法において、前記表示部の表示時間をカウントするカウント工程と、前記発光素子への印加電流値又は印加電圧値を検出する検出工程と、前記検出工程による検出値と、前記カウント工程によるカウント値と、の積算量に応じて、前記発光素子への印加電流値又は印加電圧値を補正する補正工程と、を備えることを特徴としている。
【００３１】
或いは、本発明の表示方法は、表示素子として機能する複数種類の発光色の発光素子を有する表示部に表示を行わせる方法において、前記表示部の表示時間をカウントするカウント工程と、前記表示部への印加電流値又は印加電圧値を検出する検出手段と、前記検出工程による検出値と、前記カウント工程によりカウントされた駆動時間と、の積算量に応じて、各発光色の発光素子の輝度が相互に略等しくなるように各発光素子への印加電流値又は印加電圧値を補正する補正工程と、を備えることを特徴としている。
【００３２】
或いは、本発明の表示方法は、表示素子として機能する複数の発光素子を有する表示部に表示を行わせる方法において、各発光素子の発光時間を個別にカウントするカウント工程と、各発光素子への印加電流値又は印加電圧値を個別に検出する検出工程と、前記検出工程による検出値と、前記カウント工程によるカウント値と、の積算量に応じて、各発光素子への印加電流値又は印加電圧値を個別に補正する補正工程と、を備えることを特徴としている。
【００３３】
或いは、本発明の表示方法は、表示素子と、該表示素子のバックライトとしての発光素子と、を有する表示部に表示を行わせる方法において、前記発光素子の発光時間をカウントするカウント工程と、前記発光素子への印加電流値又は印加電圧値を検出する検出工程と、前記検出工程による検出値と、前記カウント工程によるカウント値と、の積算量に応じて、前記発光素子への印加電流値又は印加電圧値を補正する補正工程と、を備えることを特徴としている。
【００３４】
本発明の表示方法においては、前記補正工程における補正を、発光素子の輝度の経時劣化特性に基づいて行うことが好ましい。
【００３５】
本発明の表示方法において、前記補正工程では、発光素子の輝度が初期状態と略等しくなるような補正を行うことが好ましい。
【発明の効果】
【００３６】
本発明によれば、表示素子として機能する発光素子を有する表示部の表示時間をカウントし、そのカウント値に応じて発光素子の発光出力を補正するので、発光素子の経時劣化に応じた発光出力の補正を好適に実現することができる。
【００３７】
特に、表示部が複数種類の発光色の発光素子を有する場合に、各発光色の発光素子の輝度が相互に略等しくなるように補正を行うので、各発光色の発光素子の色バランスを好適に補正することができる。
【００３８】
或いは、本発明によれば、表示素子として機能する複数の発光素子の発光時間を個別にカウントし、そのカウント値に応じて各発光素子の発光出力を個別に補正するので、発光素子の経時劣化に応じた発光出力の補正をより好適に実現することができ、例えば、表示部における局所的な輝度低下も抑制可能となる。
【００３９】
或いは、本発明によれば、表示素子のバックライトである発光素子の発光時間をカウントし、そのカウント値に応じて発光素子の発光出力を補正するので、発光素子の経時劣化に応じた発光出力の補正を好適に実現することができる。
【００４０】
或いは、本発明によれば、表示部の表示時間をカウントし、発光素子への印加電流値又は印加電圧値を検出し、その検出値とカウント値との積算量に応じて、発光素子への印加電流値又は印加電圧値を補正するので、発光素子の経時劣化に応じた発光出力の補正をより高精度に行うことができる。
【００４１】
或いは、本発明によれば、表示部の表示時間をカウントし、表示部への印加電流値又は印加電圧値を検出し、その検出値とカウント値との積算量に応じて、各発光色の発光素子の輝度が相互に略等しくなるように各発光素子への印加電流値又は印加電圧値を補正するので、発光素子の経時劣化に応じた発光出力の補正をより高精度に行うことができるとともに、色バランスをより高精度に補正することができる。
【００４２】
或いは、本発明によれば、各発光素子の発光時間を個別にカウントし、各発光素子への印加電流値又は印加電圧値を個別に検出し、その検出値とカウント値との積算量に応じて、各発光素子への印加電流値又は印加電圧値を個別に補正するので、発光素子の経時劣化に応じた発光出力の補正をより高精度に行うことができるとともに、表示部における局所的な輝度低下もより好適に抑制可能となる。
【００４３】
或いは、本発明によれば、表示素子のバックライトである発光素子の発光時間をカウントし、発光素子への印加電流値又は印加電圧値を検出し、その検出値とカウント値との積算量に応じて、発光素子への印加電流値又は印加電圧値を補正するので、発光素子の経時劣化に応じた発光出力の補正をより高精度に行うことができる。
【発明を実施するための最良の形態】
【００４４】
以下、図面を参照して、本発明に係る実施形態について説明する。
【００４５】
〔第１の実施形態〕
図１に示すように、第１の実施形態に係る表示装置１は、複数の発光素子２を有する表示部３と、表示部３の各発光素子２への印加電流値（又は印加電圧値）を制御するドライバ４と、ドライバ４を制御するコントローラ５と、ドライバ４から発光素子２への印加電流値（又は印加電圧値）を検出する検出回路６と、発光素子２の発光時間をカウントするタイマ回路７と、発光素子２への印加電流値（又は印加電圧値）の補正に関する演算を行う演算回路８と、を備えている。
【００４６】
なお、以上において、演算回路８及びコントローラ５により補正手段が、タイマ回路７によりカウント手段が、検出回路６により検出手段が、それぞれ構成されている。
【００４７】
第１の実施形態では、簡単のため、各発光素子２は、発光色が同一であり、輝度の経年劣化特性（経時劣化特性）が相互に等しいものとする。
【００４８】
表示部３において、発光素子２は、例えばマトリックス状に（縦横に）配列され、各発光素子２の発光状態（点灯有無及び発光輝度）がコントローラ５及びドライバ４により制御されることによって、画像表示が行われる。
【００４９】
コントローラ５は、各発光素子２への印加電流値（又は印加電圧値）を指定する信号（制御信号）をドライバ４に出力する。
【００５０】
なお、以下では、簡単のため、印加電流値又は印加電圧値を印加値という。
【００５１】
ドライバ４は、コントローラ５からの信号により指定された印加値を各発光素子４に印加する。
【００５２】
検出回路６は、ドライバ４から発光素子２への印加値を検出する。ここで、検出回路６は、何れか１つ或いは複数の発光素子２への印加値を代表的に検出するのであっても良いし、全ての発光素子２への印加値を検出するのであっても良い。
【００５３】
また、検出回路６は、検出値の情報を演算回路８に送信する。
【００５４】
更に、検出回路６は、発光素子２が発光状態である場合、すなわち印加値が０（零）でない場合には、その旨の情報をタイマ回路７に送信する。
【００５５】
タイマ回路７は、検出回路６より発光素子２が発光状態である旨の情報が送信される通算時間、すなわち発光素子２の通算発光時間を、表示部３の通算表示時間（表示部３で表示が行われる通算時間）としてカウントする。
【００５６】
ここで、検出回路６が何れか１つの発光素子２への印加値を代表的に検出し、その発光状態である旨の情報をタイマ回路７に送信する場合には、当該１つの発光素子２の発光時間を表示部３の表示時間とみなす。また、複数の発光素子２への印加値を検出回路６が検出し、その発光状態である旨の情報をタイマ回路７に送信する場合には、例えば、該当する発光素子２の発光時間の平均値を表示部３の表示時間とみなす。
【００５７】
タイマ回路７は、このようにカウントしたカウント値の情報を演算回路８に送信する。
【００５８】
演算回路８は、タイマ回路７より送信される情報（発光素子２の通算発光時間の情報）と、検出回路６より送信される情報（発光素子２への印加値の情報）と、の積算量を発光積算量として演算し、該演算結果に応じて、発光素子２への印加値の補正用パラメータとして最適な値を演算する。
【００５９】
具体的には、演算回路８は、そのメモリ領域に、上記積算量と、それに応じた最適な補正用パラメータとの関係をテーブルとして記憶保持しており、該テーブルを参照することにより、演算した積算量に応じた補正用パラメータの情報を得る。ここで、上記テーブルは、発光素子２の経年劣化特性に基づいて最適な補正用パラメータを求め得るようにその保持値が設定されている。
【００６０】
更に、演算回路８は、このようにして得た補正用パラメータをコントローラ５に送信する。
【００６１】
コントローラ５は、演算回路８より送信された補正用パラメータに応じて発光素子２への印加値を補正すべく、ドライバ４に送信する信号を変更する。具体的には、例えば、経年劣化による輝度低下分を補うために、印加値を初期値に比べて増加させるような補正を行う。
【００６２】
これにより、ドライバ４から各発光素子２への印加値は一律に補正され、各発光素子２の発光輝度は、例えば、その初期状態におけるのと同様の値となる。
【００６３】
以上のような第１の実施形態によれば、表示部３の通算表示時間（表示時間）をカウントし、そのカウント値に応じて各発光素子２の発光出力を補正するので、発光素子２の経時劣化に応じた発光出力の補正を好適に実現することができる。
【００６４】
よって、ユーザが使用し始めた当初からの画像と変わらない高画質を維持することが可能となる。
【００６５】
また、長期に亘り、画像品質の見栄えを変えることが無い為、表示装置１の長寿命化が可能となる。
【００６６】
更に、外部にカメラを設けたりする必要がない為、かさばらず小型化に適している。
【００６７】
なお、特に、発光素子２への印加値も検出し、その検出値と、表示部３の通算表示時間のカウント値と、の積算量に応じて、各発光素子２の発光出力を補正するので、発光素子２の経時劣化に応じた発光出力の補正をより高精度に行うことができる。
【００６８】
＜変形例＞
上記の第１の実施形態では、発光素子２への実際の印加値を検出回路６により検出する例を説明したが、図２に示すように、コントローラ５からドライバ４に送信される制御信号を演算回路８にも送信し、この制御信号に基づいて演算回路８にて印加値を判断するようにしても良い。
【００６９】
この場合、コントローラ５からドライバ４に送信される制御信号をタイマ回路７にも送信し、タイマ回路７ではこの送信される制御信号に基づいて発光素子２の発光時間を（表示部３の表示時間として）カウントする。
【００７０】
この変形例によれば、上記の第１の実施形態と比べて検出回路６が不要になるという利点が得られる。
【００７１】
〔第２の実施形態〕
上記の第１の実施形態及びその変形例では、表示部３の表示時間と、発光素子２への印加値と、の積算量に応じて、発光素子２への印加値を補正する例を説明したが、第２の実施形態では、単に表示部３の表示時間に応じて発光素子２への印加値を補正する表示装置２０（図３）について説明する。
【００７２】
なお、その他の点では、第２の実施形態に係る表示装置２０は第１の実施形態に係る表示装置１と同様であるため、同様の構成要素には同一の符号を付してその説明を省略する。
【００７３】
第２の実施形態の場合、図３に示すように、タイマ回路７では、例えば、コントローラ５からドライバ４に送信されるのと同じ制御信号に基づいて、表示素子２の発光有無を検出し、その発光時間をカウントすることにより、表示部３の表示時間をカウントする。
【００７４】
第２の実施形態によれば、上記の第１の実施形態及びその変形例１のように上記積算量を用いる場合と比べて、補正の精度は低くなる可能性があるものの、積算量を演算したり発光素子２への印加値を検出したりする必要が無い分だけ表示装置２０を簡素に構成することが可能となる。
【００７５】
〔第３の実施形態〕
上記の各実施形態では、表示素子としての各発光素子の発光色が同一である例を説明したが、第３の実施形態では、複数種類の発光色の発光素子を表示素子として備える例について説明する。
【００７６】
なお、第３の実施形態に係る表示装置３０（図４）は、以下に説明する点の他は第１の実施形態に係る表示装置１と同様であるため、同様の構成要素には同一の符号を付してその説明を省略する。
【００７７】
第３の実施形態に係る表示装置３０の表示部３は、例えばＲＧＢ（赤緑青）のように各原色の発光素子により構成される画素３１を複数有している。
【００７８】
すなわち、各画素３１は、図５に示すように、例えば、Ｒ（赤）の発光素子３１１、Ｇ（緑）の発光素子３１２及びＢ（青）の発光素子３１３の３つの発光素子を備えて構成され、各発光素子３１１〜３１３の点灯有無並びに発光輝度を調節することにより色表現を行うようになっている。
【００７９】
ところで、各色の発光素子３１１〜３１３は、経年劣化特性が相互に異なる。
【００８０】
そこで、第３の実施形態では、タイマ回路７によりカウントされた表示部３の表示時間に応じて、各色の発光素子３１１〜３１３の輝度が相互に略等しくなように、各色の発光素子３１１〜３１３への印加値を補正する。
【００８１】
ここで、この補正は、例えば、発光素子３１１〜３１３のうち輝度低下が最も小さい発光素子の輝度に合わせるように、残りの２つの発光素子への印加値を増加させることが挙げられるが、その他であっても、例えば、輝度低下の最も大きい発光素子の輝度に合わせるように、残りの２つの発光素子への印加値を減少させるのであっても良い。或いは、輝度低下量が他の２つの中間の発光素子の輝度に合わせるように、残りのうち一方の発光素子への印加値は増加させ、他方の発光素子への印加値は減少させても良い。
【００８２】
また、各発光素子３１１〜３１３の輝度を、その初期状態におけるのと同等となるように補正するためには、全ての発光素子３１１〜３１３の出力値を増加させると良い。この場合の増加量は、輝度低下の最も小さい発光素子の増加量が最も小さく、輝度低下の最も大きい発光素子の増加量が最も大きくなる。
【００８３】
なお、以上のような補正は、各画素３１に対して一律に行われる。
【００８４】
以上のような第３の実施形態によれば、例えばＲＧＢ（赤緑青）のように各原色の発光素子３１１〜３１３により構成される画素３１を複数有して表示部３が構成された表示装置３０の場合に、発光素子の経時劣化に応じた発光出力の補正を好適に実現することができるとともに、経年劣化によって色バランスが崩れてしまうことを防止できる。
【００８５】
また、各発光素子３１１〜３１３の輝度を、その初期状態におけるのと同等となるように補正することにより、発光素子２の経時劣化に応じた発光出力の補正を好適に実現することができる。
【００８６】
なお、第３の実施形態の場合にも、上記の第１の実施形態の変形例の場合と同様に検出回路６を省略しても良いし、上記の第２の実施形態の場合と同様に単に表示部３の表示時間に応じて補正を行うようにしても良い。
【００８７】
〔第４の実施形態〕
上記の各実施形態及びその変形例では、各発光素子２或いは各画素３１について一律の補正を行う例について説明したが、第４の実施形態では、各発光素子毎に個別に補正を行う例について説明する。
【００８８】
なお、第４の実施形態に係る表示装置は、以下に説明する点の他は、例えば、上記第１の実施形態に係る表示装置と同様であるため、図１を参照してその説明を行う。
【００８９】
第４の実施形態の場合、表示装置１は、各発光素子２毎に個別の補正を実現するため、その検出回路６は、各発光素子２への印加値を個別に検出し、その検出値を演算回路８に送信する。また、タイマ回路７は、各発光素子２の発光時間を個別にカウントし、そのカウント値を演算回路８に送信する。
【００９０】
また、演算回路８は、印加値と発光時間との積算量の演算を、各発光素子２について個別に行い、その演算結果に応じて、各発光素子２毎に、印加値の補正用パラメータとして最適な値を個別に演算する。
【００９１】
更に、演算回路８は、このようにして得た各発光素子２毎の個別の補正用パラメータをコントローラ５に送信する。
【００９２】
コントローラ５は、演算回路８より送信された補正用パラメータに応じて各発光素子２への印加値を個別に補正すべく、ドライバ４に送信する信号を変更する。
【００９３】
これにより、ドライバ４から各発光素子２への印加値は個別に補正され、各発光素子２の発光輝度は、例えば、その初期状態におけるのと同様の値となる。
【００９４】
以上のような第４の実施形態によれば、表示素子として機能する複数の発光素子２の発光時間を個別にカウントし、そのカウント値に応じて各発光素子２の発光出力を個別に補正するので、発光素子２の経時劣化に応じた発光出力の補正をより好適に実現することができ、例えば、表示部３における局所的な輝度低下も抑制可能となる。
【００９５】
なお、第４の実施形態の場合にも、上記の第１の実施形態の変形例の場合と同様に検出回路６を省略しても良いし、上記の第２の実施形態の場合と同様に単に表示部３の表示時間に応じて補正を行うようにしても良い。
【００９６】
更に、第４の実施形態で説明したような各発光素子毎の個別の補正は、第３の実施形態におけるように複数種類の発光色の発光素子を備える場合にも、上記と同様に適用可能である。
【００９７】
〔第５の実施形態〕
上記の実施形態では、発光素子自体が表示素子として機能する表示装置の場合に発光素子への印加値を補正することによりその発光出力を補正する例について説明したが、第５の実施形態では、例えばＬＣＤ（液晶表示装置）のように、発光素子がバックライトとして機能する場合に、発光素子の発光出力を補正する例について説明する。
【００９８】
例えば、ＬＣＤの場合、表示素子としての液晶セルを備える表示パネルの背面側には、図６に示すように反射板５１が配設され、この反射板５１の脇には発光素子としての白色ＬＥＤ５２が配されている。
【００９９】
そして、白色ＬＥＤ５２の発光を反射板５１により反射することで、表示パネル後方からの発光、すなわちバックライトを実現している。
【０１００】
第５の実施形態の場合、このような表示装置において、上記第１の実施形態におけるのと同様に、白色ＬＥＤ５２への印加値及び白色ＬＥＤ５２の発光時間を用いて、白色ＬＥＤ５２への印加値への印加値を補正する。
【０１０１】
以上のような第５の実施形態によれば、表示素子のバックライトである発光素子（例えば、白色ＬＥＤ５２）の発光時間をカウントし、発光素子への印加電流値又は印加電圧値を検出し、その検出値とカウント値との積算量に応じて、発光素子への印加電流値又は印加電圧値を補正するので、発光素子の経時劣化に応じた発光出力の補正を高精度に実現することができる。
【０１０２】
なお、第５の実施形態の場合にも、第１の実施形態の変形例の場合と同様に、印加値の検出用の専用の検出回路を省略しても良いし、上記の第２の実施形態の場合と同様に単に表示部の表示時間に応じて補正を行うようにしても良い。
【０１０３】
また、上記の各実施形態のうち第１乃至第４の実施形態に係る各表示装置としては、例えば、表示素子として機能する発光素子として有機ＥＬ素子或いは発光ダイオードを備える表示装置や、プラズマ表示装置、ＦＥＤ（Ｆｉｅｌｄ  Ｅｍｉｓｓｉｏｎ  Ｄｉｓｐｌａｙ）が挙げられるが、表示素子として機能する発光素子を備える表示装置であればその他であっても良い。
【０１０４】
また、第５の実施形態に係る表示装置としては、ＬＣＤ以外であっても、バックライトとして機能する発光素子を備える表示装置であればその他であっても良い。
【図面の簡単な説明】
【０１０５】
【図１】第１の実施形態に係る表示装置を示す模式図である。
【図２】第１の実施形態の変形例の表示装置を示す模式図である。
【図３】第２の実施形態に係る表示装置を示す模式図である。
【図４】第３の実施形態に係る表示装置を示す模式図である。
【図５】図４の表示装置の表示部の画素を示す模式図である。
【図６】第５の実施形態に係る表示装置が備えるバックライトとしての発光素子とその周辺の構造を示す模式図である。
【符号の説明】
【０１０６】
１      表示装置
２      発光素子
３      表示部
５      コントローラ（補正手段）
７      タイマ回路（カウント手段）
８      演算回路（補正手段）
２０    表示装置
３０    表示装置
３１    画素
３１１  発光素子
３１２  発光素子
３１３  発光素子
５２    白色ＬＥＤ（発光素子）
【図１】
2005134531.tif 000003
【図２】
2005134531.tif 000004
【図３】
2005134531.tif 000005
【図４】
2005134531.tif 000006
【図５】
2005134531.tif 000007
【図６】
2005134531.tif 000008